(57)【要約】【課題】引き出し収納空間を小さくすることなく収納空間を十分活用可能とするとともに、フットレストを備え、使用者がフットレストに足を載せて楽にすることができるキャビネットの引き出しを実現する。【解決手段】前面部８が上面材１０と下面材１１とからなり、下面材１１が上面材１０より奥側に配置され、下面材１１の前側に蹴込み部１３が形成された引き出し７であって、下面材１１の最下部にフットレスト９が回転可能に捩りバネを介装したヒンジ２０によって取り付けられており、前面部８のフットレスト９を取り付けた部位は、下面材１１の上部より奥側に凹んだ凹部２５となっており、この凹部２５に使用者のつま先が入りやすく形成されている。【選択図】図６
2007330553.tif 000002
【特許請求の範囲】
【請求項１】
引き出しの前面部の最下部にフットレストが取り付けられていることを特徴とする引き出し。
【請求項２】
請求項１記載の引き出しであって、前面部が上面材と下面材とからなり、下面材が上面材より奥側に配置され、下面材の前側に蹴込み部が形成されていることを特徴とする引き出し。
【請求項３】
請求項１又は２記載の引き出しであって、前面部の最下部のフットレストが取り付けられている部位が、前面部の上部より奥側に凹んだ凹部となっており、蹴込み部の奥行きがより大きくなり該凹部に使用者のつま先が入りやすく形成されていることを特徴とする引き出し。
【請求項４】
請求項１、２または３記載の引き出しであって、フットレストが引き出しの前面部に回転可能に取り付けられていることを特徴とする引き出し。
【請求項５】
請求項４記載の引き出しであって、フットレストを上方へ回転して跳ね上げた時に、フットレストが前面部の凹部内に収まるように形成されていることを特徴とする引き出し。
【請求項６】
請求項４または５記載の引き出しであって、フットレストを回転して上方へ跳ね上げた時に、フットレストの裏面が、前面部と同意匠の化粧板で形成されていることを特徴とする引き出し。
【発明の詳細な説明】
【技術分野】
【０００１】
本発明は、システムキッチン等のキャビネット下部の蹴込み収納引き出しの前面部にフットレストを設けた引き出しに関する。
【背景技術】
【０００２】
システムキッチン使用者がシステムキッチンで洗い物等の作業をする際に、肉体的な負担が大きいので、キャビネットや床に棒や台（フットレスト）を固定し、足を載せることにより脚への負担を軽減することができる。
【０００３】
従来、流し台下部にフットレストを設ける構成は、公知である（特許文献１〜３参照）。そして、フットレストの傾斜角を調整可能としたものも公知である（特許文献４参照）。さらに、流し台や洗面化粧台の引き出しについて、上側の面材と下側の面材が連結材で連結されて成る前面部の下側に蹴込み部が形成された蹴込み収納引き出しは出願人がすでに提案している（特許文献５参照）。
【特許文献１】実開昭６３−１５５４２５号公報
【特許文献２】特許第３４１９１６１号公報
【特許文献３】特開平９−１１７３３０号公報
【特許文献４】特開２００２−２２３８９２号公報
【特許文献５】特開２００５−２２４３１０号公報
【発明の開示】
【発明が解決しようとする課題】
【０００４】
ところで、現在、システムキッチンにおいては、収納量を最大化するために蹴込み部に収納するタイプが主流となっており、棒をキャビネット本体に固定したり、台を床に固定できない。強いて、フットレストを設けたとしても収納空間を減らさざるを得ないという問題が生じる。
【０００５】
例えば、図８（ａ）は、蹴込み収納引き出し３０を備えたキッチンキャビネット３１の断面図を示すが、この蹴込み収納引き出し３０では、底板３２をキャビネット３１の底部３３近くに設けることができるので、蹴込み収納引き出し３０の収納空間の寸法Ｓを上下方向に大きくとることができる。
【０００６】
しかしながら、図８（ｂ）に示すように、蹴込み収納引き出し３０の前方の床面１６の上にフットレスト３４を設ける構成では、蹴込み収納引き出しの前面部３５及び引き出しの底板３２がフットレスト３４に当接しないようにするためには、前面部３５及び底板３２より上方に配置しなくてはならない。そのような構成にすると、底板３２がキャビネット３１の底部３３から上方に離れるので収納空間の寸法Ｓが小さくなり、収納量が減ってしまう。
【０００７】
本発明は、従来の蹴込み収納引き出しを備えたキャビネットにおいて、フットレストを設ける場合に生じる問題を解決することを目的とするものであり、引き出し収納空間を小さくすることなくフットレスト付き引き出しを備えた構成を実現すること課題とする。  
【課題を解決するための手段】
【０００８】
本発明は上記課題を解決するために、引き出しの前面部の最下部にフットレストが取り付けられていることを特徴とする引き出しを提供する。
【０００９】
上記前面部は、上面材と下面材とからなり、下面材が上面材より奥側に配置され、下面材の前側に蹴込み部が形成されている構成としてもよい。
【００１０】
上記引き出しの前面部の最下部のフットレストが取り付けられている部位が、前面部の上部より奥側に凹んだ凹部となっており、蹴込み部の奥行きがより大きくなり該凹部に使用者のつま先が入りやすく形成されている構成としてもよい。
【００１１】
フットレストが引き出しの前面部に回転可能に取り付けられている構成としてもよい。
【００１２】
フットレストを上方へ回転して跳ね上げた時に、フットレストが前面部の凹部内に収まるような構成としてもよい。
【００１３】
フットレストを回転して上方へ跳ね上げた時に、フットレストの裏面が、前面部と同意匠の化粧板で形成されている構成としてもよい。
【発明の効果】
【００１４】
本発明に係るフットレスト付き引き出しによれば、蹴込み引き出し収納空間を小さくすることなくフットレストを設けることができるから、使用者は、キャビネット内の空間を収納空間として最大限活用できるとともに、フットレストに足を載せて楽にすることができるという効果が生じる。また、フットレストを蹴込み部にコンパクトに収納可能とすることができる。
【発明を実施するための最良の形態】
【００１５】
本発明に係るフットレスト付き引き出しを実施するための最良の形態を実施例に基づき図面を参照して、以下説明する。
【実施例１】
【００１６】
図１は、本発明に係るフットレスト付き引き出しをシステムキッチンに適用した実施例１の全体構成の斜視図であり、図２はその構成を説明する断面図である。この実施例１は、図１及び図２（ａ）に示すように、システムキッチン１のキャビネット２の上方にシンク３及びコンロ４を備えた天板５が設けられ、流し台が形成されている。
【００１７】
キャビネット２の底部６の直ぐ上に、蹴込み収納引き出し７（以下、単に「引き出し」という。）が、前後方向に移動して開閉自在に設けられている（図２（ａ）の想像線を参照）。
【００１８】
この発明の特徴は、引き出し７の前面部８にフットレスト９を取り付けた構成にある。引き出し７の前面部８は、上面材１０と下面材１１が水平材１２で結合されて形成されている。下面材１１は上面材１０よりキャビネット２に向かって正面奥側（背面側）に配置され、下面材１１の前側に蹴込み部１３が形成されている。
【００１９】
フットレスト９は、前面部８の一部を構成する下面材１１の最下部に取り付けられている。フットレスト９は、図２（ｂ）に示すように、下面１４が平坦であり、上面１５は前方に向かって低くなるように傾斜し足載せ面が形成されている。フットレスト９は、その下面１４が床面１６に接触しないように、下面材１１に水平にネジ１７等で固定されている。
【００２０】
実施例１で、フットレスト９は、キャビネット２の最下部の全ての引き出し７に取り付けられている。このように、全ての引き出しに取り付けた場合、システムキッチン１のどの位置でもフットレスト９を利用することができ、一部の引き出し７に取り付けるより望ましい。
【００２１】
以上の構成から成る引き出し７によれば、使用者は、食器洗い等の作業をしながら、図２（ｂ）に示すように、片足を蹴込み部１３内でフットレスト９に載せて足を休ませることができる。
【００２２】
しかも、フットレスト９は、引き出し７の下面材１１に取り付けられ、前方に引き出し７とともに移動（図２（ａ）の想像線を参照。）できるから、引き出し７の前面部８や底板１８に接触して移動が阻止されることがない。従って、引き出し７の底板１８をキャビネット２の底部６に接触しない程度まで下方に設けることができるので、収納空間の上下方向の寸法Ｓを上下方向に最大限まで大きくとることができる。
【実施例２】
【００２３】
図３は、本発明に係るフットレスト付き引き出しの実施例２の構成を説明する図である。この実施例２の引き出し７は、実施例１と略同じ構成であるが、その特徴は、図３（ａ）〜（ｄ）に示すように、フットレスト９が下面材１１に回転可能に取り付けられている点である。
【００２４】
具体的には、フットレスト９の基端側（キャビネットに正面向かって奥側）の下部１９が、ヒンジ２０で下面材１１に回転可能に取り付けられている。ヒンジ２０は、常時閉じる方向（図３（ｂ）の矢印参照）の弾力を有する捩りバネ２１が装着されている。
【００２５】
このような構成の実施例２によると、フットレスト９は常時は、図３（ａ）、（ｂ）に示すように、時計針方向の弾力が付与されて水平状態を保っている。よって、引き出し７を前方に引き出す際に、フットレスト９が床面１６に接触しない（図３（ａ）の想像線参照）。よって、床面１６を傷付けることなく、滑らかに引き出し７を開くことができる。
【００２６】
そして、使用者がフットレスト９の使用に際して足を載置すると、図３（ｃ）、（ｄ）に示すように、ヒンジ２０の捩りバネ２１の弾力に抗して反時計針方向に回転し、フットレスト９の先端２２が床面１６に接地する。
【実施例３】
【００２７】
図４（ａ）〜（ｃ）は、本発明に係るフットレスト付き引き出し７の実施例３の構成を説明する図である。この実施例３は、実施例２と略同じ構成であるが、フットレスト９の基端側の上部２２を、ヒンジ２０によって下面材１１に取り付けられ、フットレスト９は、時計回り方向に回転可能に構成されている。
【００２８】
これにより、使用者がフットレスト９を使用する時には、図４（ａ）で示すように、フットレスト９をその下面が床面１６より上方で水平状態になるようにし、使用者は足を載せて休ませることができる。しかもこの状態では、引き出しの開閉に際しフットレスト９が床面に接触する支障もない。
【００２９】
そして、不使用時には、図４（ｂ）、（ｃ）に示すように、フットレスト９を蹴込み部１３内で下面材１１に沿って垂直状態に跳ね上げて起立した状態とする。この起立した状態を係脱機構で保持可能な構成としている。
【００３０】
この係脱機構は、垂直状態に起立した状態では、力を加えれば下方に回転して水平状態となって使用可能となるが、力を加えなければ下方に回転しないように保持される機能を有する機構である。例えば、図４（ｃ）に示すように、フットレスト９の上面と下面材１１の互いに対応する個所にマグネット２３（足の血流促進兼用マグネット）を装着する構成とする。なお、弾力的に互いに係脱する周知の係脱部材をフットレスト９（例えば側面）及び下面材１１にそれぞれ取り付けた構成としてもよい。
【００３１】
そして、図４（ｂ）、（ｃ）に示すように、フットレスト９が上方へ跳ね上げられて起立した状態では、フットレスト９の裏面（下面）が露出する。そこで、フットレスト９の裏面が、下面材１１と同材質の化粧板で同意匠に形成されていれば、見映えが良くなるので好ましい。この場合、さらにフットレスト９が跳ね上げられて起立した状態では、図４（ｃ）の想像線９’で示すように、フットレスト９の裏面が下面材１１の前面と平行面となるように形成してもよい。
【００３２】
（変形例）
実施例３の変形例を説明する。図４（ｄ）、（ｅ）に示すように、常時は閉じる方向に弾力を有する捩りバネ２１をヒンジ２０に装着し、図４（ｆ）に示すように、この捩りバネ付きヒンジ２０によってフットレスト９の上部２２を下面材１１に取り付け、さらに捩りバネ２１の弾力に抗して水平状態で保持される係脱機構（図示しないが弾力的に係脱する機構）を設けた構成としてもよい。
【００３３】
このような構成とすれば、使用時はフットレスト９をバネ２１に抗して水平状態に係脱機構で保持すれば、使用者は足を乗せて休めることができる。不使用時には、係脱機構の係止をはずせば、図４（ｆ）に示すように、フットレスト９が捩りバネ２１の弾力で自動的に跳ね上げられて蹴込み部１３内で垂直状態に収納可能である。
【実施例４】
【００３４】
図５は、本発明に係るフットレスト付き引き出し７の実施例４の構成を説明する図である。この実施例４は、実施例１と略同様な構成であるが、図５（ａ）、（ｂ）に示すように、下面材１１の下部２４は奥側に凹んでおり凹部２５が形成されている。これにより、蹴込み部１３はさらにその奥側に凹部２５が形成された構成となっている（図５（ｂ）参照）。
【００３５】
そして、この下面材１１の最下端部には、フットレスト９が、床面１６より上方となるように水平な状態で取り付けられている。要するに、下面材１１の下部２４にフットレスト９が取り付けられているが、この部位が下面材１１の上部２６より奥側に凹んだ凹部２５が設けられているから、蹴込み部１３の奥行きが凹部２５を設けない下面材１１が平坦な構成に較べて大きく（深く）なり、使用者のつま先が入りやすい。
【００３６】
この実施例４によれば、使用者は、キャビネット２の蹴込み部１３において片足をフットレスト９上に載せて、より奥側に向けて片足を伸ばしつま先を入れることができるので、片足を十分、リラックスして休ませることができる。
【実施例５】
【００３７】
図６は、本発明に係るフットレスト付き引き出し７の実施例５の構成を説明する図である。この実施例５では、実施例２と同様に、図６（ａ）〜（ｄ）に示すように、フットレスト９の基端側の下部１９が、下面材１１にヒンジ２０で回転可能に取り付けられている。ヒンジ２０は、常時閉じるような捩りバネ２１が装着され、常時は図６（ａ）、（ｂ）に示すように、フットレスト９に時計針方向の弾力を付与して水平状態となるように構成されている。
【００３８】
よって、図６（ａ）の想像線で示すように、引き出し７を前方に引き出す際に、フットレスト９が床面１６に接触しない。そして、使用者がフットレスト９の使用に際して足を載置すると、ヒンジ２０を中心にして図６（ｃ）、（ｄ）に示すように、捩りバネ２１に抗して反時計針方向に回転し、フットレスト９の先端が床面１６に接地する。
【実施例６】
【００３９】
図７は、本発明に係るフットレスト付き引き出しの実施例６の構成を説明する図である。実施例６は実施例４と略同じであるが、図７（ａ）〜（ｃ）に示すように、フットレスト９は、その基端側の上部２２がヒンジ２０で下面材１１に取り付けられている。これにより、不使用時には、下面材１１の下部に沿って垂直状態に跳ね上げて起立した状態とすることができる（図７（ｂ）、（ｃ）参照）。
【００４０】
そして、この起立した状態を、実施例３と同様にマグネット２３やその他の係脱機構で保持可能な構成としている。使用時には図７（ａ）に示すように、フットレスト９をその下面が床より上方において水平状態になるように構成され、使用者が足を載せて休ませることができる。
【００４１】
なお、実施例３と同様に、フットレスト９の裏面が、下面材１１と同材質の化粧板で同意匠に形成されていれば、図７（ｂ）、（ｃ）に示すように、フットレスト９が上方へ跳ね上げられて起立した状態では、見映えが良くなる。さらにフットレスト９を跳ね上げ起立した状態では、図７（ｃ）の想像線９’で示すように、下面材１１の前面と平行面となるように、フットレスト９の裏面を形成されていると、フットレスト９が下面材１１とより一体化された印象を醸し出し、見映えが向上する。
【００４２】
（変形例）  
実施例６の変形例として、図７（ｄ）、（ｅ）に示すように常時は閉じる捩りバネをヒンジ２０に装着し、このヒンジ２０によってフットレスト９を、図７（ｆ）に示すように、下面材１１に取り付け、さらに捩りバネの弾力に抗して水平状態で保持される係脱機構（図示しないが弾力的に係脱する機構）を設けた構成としてもよい。
【００４３】
このような構成とすれば、使用時はフットレスト９を捩りバネ２１に抗して係脱機構で水平状態に保持すれば、使用者は足をキャビネット２の奥側まで伸ばしてフットレスト９に載せて休めることができる。不使用時には、係脱機構の係止をはずせば、図７（ｆ）に示すように、フットレスト９が捩りバネ２１の弾力で自動的に跳ね上げられて蹴込み部１３内で垂直状態で収納可能である。
【００４４】
以上、本発明に係るフットレスト付きの引き出しを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
以上、本発明に係るフットレスト付きの引き出しは、キャビネットの引き出しの前面部に取り付けられる構成であるから、キャビネットだけでなく、使用者が、キャビネットの前で立って作業をするような作業キャビネットや洗面化粧台等にも適用可能である。
【図面の簡単な説明】
【００４６】
【図１】本発明の実施例１を示し、キャビネットに本発明のフットレストを設けた斜視図を示す。
【図２】本発明のフットレストの実施例１の構成を説明する図である。
【図３】本発明のフットレストの実施例２の構成を説明する図である。
【図４】本発明のフットレストの実施例３の構成を説明する図である。
【図５】本発明のフットレストの実施例４の構成を説明する図である。
【図６】本発明のフットレストの実施例５の構成を説明する図である。
【図７】本発明のフットレストの実施例６の構成を説明する図である。
【図８】従来例を説明する図である。
【符号の説明】
【００４７】
１  システムキッチン                    
２、３１  キャビネット                        
３  シンク                              
４  コンロ                              
５  天板                                
６、３３  キャビネットの底部                  
７、３０  引き出し                            
８、３５  引き出しの前面部                    
９、３４  フットレスト                        
１０  上面材                            
１１  下面材                            
１２  水平材                            
１３  蹴込み部                          
１４  フットレストの下面                
１５  フットレストの上面                
１６  床面                              
１７  ネジ                              
１８  引き出しの底板                    
１９  フットレストの基端側下部          
２０  ヒンジ                            
２１  捩りバネ                          
２２  フットレストの基端側の上部        
２３  マグネット                        
２４  下面材の下部                      
２５  凹部
２６  下面材の上部
【図１】
2007330553.tif 000003
【図２】
2007330553.tif 000004
【図３】
2007330553.tif 000005
【図４】
2007330553.tif 000006
【図５】
2007330553.tif 000007
【図６】
2007330553.tif 000008
【図７】
2007330553.tif 000009
【図８】
2007330553.tif 000010